【手続補正書】
【提出日】平成20年1月11日(2008.1.11)
【手続補正１】
【補正対象書類名】明細書
【補正対象項目名】特許請求の範囲
【補正方法】変更
【補正の内容】
【特許請求の範囲】
【請求項１】  吸収体、前部ウエスト領域、後部ウエスト領域、前記ウエスト領域の間に延びてそれらを接続する股領域、縦方向、横方向、外側表面、前記外側表面の反対側の内側表面、１対の横方向に対向するサイドエッジ、及び、１対の縦方向に対向するウエストエッジを形成するパンツ型の予め締結された使い捨て吸収性物品であって、
ａ）前記前部ウエスト領域の前記横方向に対向するサイドエッジを、前記後部ウエスト領域の前記横方向に対向するサイドエッジに再締結可能に取り付けて、前記予め締結された吸収性物品にウエスト周囲寸法を有するウエスト開口部と１対の脚開口部とを形成する１対の再締結可能なサイドシームと、
ｂ）前記予め締結された吸収性物品が着用者に着せられた後で前記ウエスト周囲寸法を減少させるための少なくとも１つのウエストサイズ調節手段と、
を含み、
前記ウエストサイズ調節手段は、前記再締結可能サイドシームの１つを横方向に越えて延びる前記再締結可能サイドシームの１つの一部分により形成される、
ことを特徴とする吸収性物品。
【請求項２】  前記ウエスト領域は、前記ウエスト周囲寸法を少なくとも約２０％増大させるように広がることができ、前記予め締結された吸収性物品を前記着用者に当てるのを補助することを特徴とする請求項１に記載の予め締結された吸収性物品。
【請求項３】  前記再締結可能サイドシーム及び前記ウエストサイズ調節手段は、フック及びループ型ファスナーを含むことを特徴とする請求項１に記載の予め締結された吸収性物品。
【請求項４】  前記ウエストサイズ調節手段は、前記予め締結された吸収性物品の前記外側表面と直接に係合可能であることを特徴とする請求項３に記載の予め締結された吸収性物品。
【請求項５】  前記再締結可能サイドシームは、少なくとも１つの消極的結合部を含み、前記フック及びループ型ファスナーが前記サイドシームを形成するのを補助することを特徴とする請求項３に記載の予め締結された吸収性物品。
【請求項６】  前記消極的結合部は、前記サイドシームの横方向最も外側のエッジの内側に位置する超音波点結合であることを特徴とする請求項５に記載の予め締結された吸収性物品。
【請求項７】  前記再締結可能サイドシームは、接着剤結合を含み、前記フック及びループ型ファスナーが前記サイドシームを形成するのを補助することを特徴とする請求項３に記載の予め締結された吸収性物品。
【請求項８】  前記再締結可能サイドシーム及び前記ウエストサイズ調節手段は、接着剤ファスナーであることを特徴とする請求項１に記載の予め締結された吸収性物品。
【請求項９】  吸収体、前部ウエスト領域、後部ウエスト領域、前記ウエスト領域の間に延びてそれらを接続する股領域、縦方向、横方向、外側表面、前記外側表面の反対側の内側表面、１対の横方向に対向するサイドエッジ、及び、１対の縦方向に対向するウエストエッジを形成するパンツ型の予め締結された使い捨て吸収性物品であって、
各々が内側縦方向エッジ及び外側縦方向エッジを形成し、反対側のウエスト領域の前記サイドエッジに再締結可能に取り付けられた第１の係合可能部分を含み、それによって前記ウエスト領域を互いに接合する１対の再締結可能サイドシームを設け、ウエスト周囲寸法を有するウエスト開口部と１対の脚開口部とを形成して前記予め締結された吸収性物品を提供する、一方の前記ウエスト領域の前記横方向に対向するサイドエッジに永久的に取り付けられた１対の連続ファスナー、
を含み、
前記連続ファスナーの少なくとも１つは、前記予め締結された吸収性物品を着用者に着せた後に前記予め締結された吸収性物品の前記外側表面に取り外し可能に係合し、前記ウエスト周囲寸法を減少させて前記予め締結された吸収性物品を着用者の腰の周りに維持するのを補助するように形成され、前記再締結可能サイドシームの１つから延びた第２の係合可能な部分を含む、
ことを特徴とする吸収性物品。
【請求項１０】  前記連続ファスナーは、フック及びループ型ファスナーであることを特徴とする請求項９に記載の予め締結された吸収性物品。
【請求項１１】  前記外側表面を形成する外側カバーを更に含み、
前記少なくとも１つの連続ファスナーの前記第２の係合可能部分が、前記外側カバーと直接再締結可能に係合するように形成される、
ことを特徴とする請求項１０に記載の予め締結された吸収性物品。
【請求項１２】  前記外側表面上に位置する少なくとも１つの外側表面取り付けパネルを更に含み、
前記少なくとも１つの連続ファスナーの前記第２の係合可能部分が、前記外側表面取り付けパネルと再締結可能に係合するように形成される、
ことを特徴とする請求項１０に記載の予め締結された吸収性物品。
【請求項１３】  前記外側表面取り付けパネルは、前記吸収性物品の前記サイドエッジを越えて横方向に延びて、折り重ね部分を含み、
前記連続ファスナーの前記第１の係合可能部分が、前記折り重ね部分に再締結可能に係合されて前記再締結可能サイドシームを形成する、
ことを特徴とする請求項１２に記載の予め締結された吸収性物品。
【請求項１４】  前記反対側のウエスト領域の前記内側表面上に前記サイドエッジの各々に隣接して位置する取り付けパネルを更に含み、
前記連続ファスナーの前記第１の係合部分が、前記取り付けパネルに再締結可能に係合されて前記再締結可能サイドシームを形成する、
ことを特徴とする請求項１０に記載の予め締結された吸収性物品。
【請求項１５】  前記外側表面を形成する、エラストマー材料の外側カバーを更に含むことを特徴とする請求項９に記載の予め締結された吸収性物品。
【請求項１６】  前記外側カバーは、ネッキング結合積層体材料であることを特徴とする請求項１５に記載の予め締結された吸収性物品。
【請求項１７】  前記外側表面を形成する、伸張可能材料の外側カバーを更に含むことを特徴とする請求項９に記載の予め締結された吸収性物品。
【請求項１８】  前記ウエストエッジの１つに隣接して重ねられた少なくとも１つのフィットパネルを更に含むことを特徴とする請求項９に記載の予め締結された吸収性物品。
【請求項１９】  前記フィットパネルは、前記内側表面上に重ねられることを特徴とする請求項１８に記載の予め締結された吸収性物品。
【請求項２０】  前記フィットパネルは、前記外側表面上に重ねられることを特徴とする請求項１８に記載の予め締結された吸収性物品。
【請求項２１】  前記フィットパネルは、前記ウエストエッジから縦方向内方で前記サイドエッジの間に位置する自由エッジを保持することを特徴とする請求項１９に記載の予め締結された吸収性物品。
【請求項２２】  前記フィットパネルは、エラストマー材料であることを特徴とする請求項１８に記載の予め締結された吸収性物品。
【請求項２３】  前記フィットパネルは、前記連続ファスナーが永久的に取り付けられた前記一方のウエスト領域上に取り付けられることを特徴とする請求項１８に記載の予め締結された吸収性物品。
【請求項２４】  前記連続ファスナーの前記第１の係合可能部分は、前記一方のウエスト領域の前記内側表面上に位置し、前記反対側のウエスト領域の前記外側表面に再締結可能に取り付けられて前記再締結可能サイドシームを形成することを特徴とする請求項９に記載の予め締結された吸収性物品。
【請求項２５】  前記連続ファスナーの前記第１の係合可能部分は、前記一方のウエスト領域の前記外側表面上に位置し、前記反対側のウエスト領域の前記外側表面に再締結可能に取り付けられて前記再締結可能サイドシームを形成することを特徴とする請求項９に記載の予め締結された吸収性物品。
【請求項２６】  前記連続ファスナーの前記第１の係合可能部分は、前記一方のウエスト領域の前記内側表面上に位置し、前記反対側のウエスト領域の前記内側表面に再締結可能に取り付けられて前記再締結可能サイドシームを形成することを特徴とする請求項９に記載の予め締結された吸収性物品。
【請求項２７】  前記少なくとも１つの連続ファスナーは、前記第１の係合可能部分と前記第２の係合可能部分との間に中間エッジを含み、
前記中間エッジは、ヒンジを形成する、
ことを特徴とする請求項９に記載の予め締結された吸収性物品。
【請求項２８】  前記連続ファスナーは、前記吸収性物品の前記サイドエッジに永久的に取り付けられた伸張可能な基体に永久的に取り付けられることを特徴とする請求項９に記載の予め締結された吸収性物品。
【請求項２９】  前記伸張可能な基体は、ネッキング結合積層体であることを特徴とする請求項２８に記載の予め締結された吸収性物品。
【請求項３０】  前記少なくとも１つの連続ファスナーは、前記第１の係合可能部分と前記第２の係合可能部分との間に、前記内側縦方向エッジ及び前記外側縦方向エッジの前記縦方向の長さよりも大きい前記縦方向の長さを形成する中間エッジを含むことを特徴とする請求項９に記載の予め締結された吸収性物品。
【請求項３１】  前記少なくとも１つの連続ファスナーの前記第１の係合可能部分は、前記少なくとも１つの連続ファスナーの前記第２の係合可能部分の第２の部分の横幅よりも大きい、前記横方向の第１の部分の横幅を形成することを特徴とする請求項９に記載の予め締結された吸収性物品。
【請求項３２】  前記第１の係合可能部分の面積は、前記少なくとも１つの連続ファスナーの前記第２の係合可能部分の面積よりも大きいことを特徴とする請求項９に記載の予め締結された吸収性物品。
【請求項３３】  吸収体、前部ウエスト領域、後部ウエスト領域、前記ウエスト領域の間に延びてそれらを接続する股領域、縦方向、横方向、外側表面、前記外側表面の反対側の内側表面、１対の横方向に対向するサイドエッジ、及び、１対の縦方向に対向するウエストエッジを形成するパンツ型の予め締結された使い捨て吸収性物品であって、
前記後部ウエスト領域の前記サイドエッジの各々に永久的に取り付けられ、一次ファスナー、二次ファスナー、内側縦方向エッジ、外側縦方向エッジ、及び、前記一次ファスナーと前記二次ファスナーとの間の中間部分を各々が含む１対のファスナー、
を含み、
前記一次ファスナーは、前記前部ウエスト領域において前記吸収性物品の前記サイドエッジに再締結可能に取り付けられて１対の再締結可能サイドシームを形成し、それによって前記予め締結された吸収性物品にウエスト周囲寸法を有するウエスト開口部と１対の脚開口部とを形成し、
前記二次ファスナーは、前記予め締結された吸収性物品が着用者に着せられた後で、前記前部ウエスト領域において前記吸収性物品の前記外側表面に再締結可能に取り付けられ、前記ウエスト開口部の前記ウエスト周囲寸法を減少させるように形成される、
ことを特徴とする吸収性物品。
【請求項３４】  前記ファスナーは、前記ファスナーの前記一次ファスナーと前記二次ファスナーとが取り付けられた伸張可能パネルを含むことを特徴とする請求項３３に記載の予め締結された吸収性物品。
【請求項３５】  前記伸張可能パネルは、ネッキング結合積層体材料であることを特徴とする請求項３４に記載の予め締結された吸収性物品。
【請求項３６】  前記外側表面を形成する、ネッキング結合積層体材料の外側カバーを更に含むことを特徴とする請求項３３に記載の予め締結された吸収性物品。
【請求項３７】  前記外側表面を形成する、伸張可能材料の外側カバーを更に含むことを特徴とする請求項３３に記載の予め締結された吸収性物品。
【請求項３８】  前記吸収性物品の前記後部ウエスト領域において前記ウエストエッジに隣接して重ねられた少なくとも１つのエラストマー性フィットパネルを更に含み、
前記ファスナーが、前記後部ウエスト領域において前記フィットパネルに永久的に取り付けられる、
ことを特徴とする請求項３３に記載の予め締結された吸収性物品。
【請求項３９】  前記ファスナーの前記中間部分は、前記一次ファスナーと前記二次ファスナーとの間のヒンジ領域を形成することを特徴とする請求項３３に記載の予め締結された吸収性物品。
【請求項４０】  前記ファスナーの前記中間部分は、前記内側縦方向エッジ及び前記外側縦方向エッジの前記縦方向の長さよりも大きい前記縦方向の長さを形成することを特徴とする請求項３３に記載の予め締結された吸収性物品。
【請求項４１】  前記一次ファスナーは、前記二次ファスナーの前記横方向の第２の部分の横幅よりも大きい前記横方向の第１の部分の横幅を形成することを特徴とする請求項３３に記載の予め締結された吸収性物品。
【請求項４２】  前記一次ファスナーの面積は、前記二次ファスナーの面積よりも大きいことを特徴とする請求項３３に記載の予め締結された吸収性物品。
【請求項４３】  前記一次及び二次ファスナーは、フック及びループ型ファスナーであることを特徴とする請求項３３に記載の予め締結された吸収性物品。